(57)【要約】【課題】携帯用具の連結環を直接連結することができる掛杆を備え、しかも掛杆の器体への固定強度が強固となる上、掛杆に連結環を掛止連結した際に連結環と器体との接触音も生じない水準器を提供すること。【解決手段】衝撃吸収用プロテクター部４を、器体１の内方に向かって凹状に窪む形状に形成し、この凹状の衝撃吸収用プロテクター部４の対向する立ち上がり部５間に、フックやカラビナなどの連結環７を掛止し得る掛杆８を架設状態に設けると共に、この掛杆８は、衝撃吸収用プロテクター部４を構成する弾性体３を貫通して器体１に固定する。【選択図】図１
2011038840.tif 000002
【特許請求の範囲】
【請求項１】
器体にこの器体外部から視認可能にして測定用気泡管を設け、この器体の端部に弾性体を付設して器体の端部に衝撃吸収用プロテクター部を形成した水準器において、前記衝撃吸収用プロテクター部を、前記器体の内方に向かって凹状に窪む形状に形成し、この凹状の衝撃吸収用プロテクター部の対向する立ち上がり部間に、フックやカラビナなどの連結環を掛止し得る掛杆を架設状態に設けると共に、この掛杆は、衝撃吸収用プロテクター部を貫通して前記器体に固定したことを特徴とする水準器。
【請求項２】
前記凹状の衝撃吸収用プロテクター部は、前記対向する立ち上がり部から、前記掛杆と対向する窪み底部にかけて形成したことを特徴とする請求項１記載の水準器。
【請求項３】
前記掛杆は、その両端部を、前記衝撃吸収用プロテクター部の対向する立ち上がり部を貫通して前記器体に固定したことを特徴とする請求項１，２のいずれか１項に記載の水準器。
【請求項４】
前記掛杆の両端部に被嵌合部を設け、この被嵌合部が嵌合する嵌合部を前記器体に設けて、この被嵌合部を、前記衝撃吸収用プロテクター部の対向する立ち上がり部を貫通して前記嵌合部に嵌合固定したことを特徴とする請求項１〜３のいずれか１項に記載の水準器。
【請求項５】
前記器体は、前記測定用気泡管を取付する取付窓を備えた金属製主体部と、この主体部を両側から挟み込むようにして主体部に装着される一対の外装部とから成り、この主体部の取付窓に測定用気泡管を配設すると共に、主体部に前記一対の外装部を装着することで取付窓の測定用気泡管を一対の外装部により挟持固定する構成とし、前記掛杆の両端部に被嵌合部を設け、この被嵌合部が嵌合する嵌合部を前記器体に設けて、この被嵌合部を、前記衝撃吸収用プロテクター部の対向する立ち上がり部を貫通して前記嵌合部に嵌合すると共に、主体部に前記一対の外装部を装着することで、嵌合部に嵌合した被嵌合部を一対の外装部により挟持固定する構成としたことを特徴とする請求項１〜４のいずれか１項に記載の水準器。
【請求項６】
前記掛杆の両端部を屈曲形成して屈曲部を前記被嵌合部とし、この被嵌合部の形状に略合致する形状の切欠部を前記器体に形成してこの切欠部を前記嵌合部としたことを特徴とする請求項４，５のいずれか１項に記載の水準器。
【発明の詳細な説明】
【技術分野】
【０００１】
本発明は、携帯用に適した水準器に関するものである。
【背景技術】
【０００２】
従来の水準器には、測定用気泡管を備えた器体に、この器体を貫通させて引っ掛け孔を形成し、この引っ掛け孔に壁に打たれた釘などを挿入して壁面などに掛け提げできたり、引っ掛け孔に挿入した連結リングなどを使用して携帯用の提げ紐などを連結できるようにしたものがある（例えば、特許文献１参照。）。
【先行技術文献】
【特許文献】
【０００３】
【特許文献１】特開２００１−２４１９４９号公報
【発明の概要】
【発明が解決しようとする課題】
【０００４】
このような引っ掛け孔を備えた従来の水準器は、引っ掛け孔が器体を貫通する構成であるためにこの引っ掛け孔の孔長がある程度確保されたものとなっており、この孔長のある引っ掛け孔にはフックやカラビナなどの太い連結環を直接連結することができず、連結環付の携帯用具などを使用したい場合には、例えば線材で構成された連結リングなどを引っ掛け孔に挿入装着して、この連結リングに対して連結環を連結する必要がある。
【０００５】
即ち、携帯に際しては、連結環を備えた携帯用具（提げ紐など）を使用するのが便利であるが、この携帯用具を使用するためには別途もう一部品（連結リングなど）を用意しなければならず、煩わしかった。
【０００６】
本発明は、このような現状に鑑み、これを解決しようとするもので、携帯用具の連結環を直接連結することができる掛杆を備え、また掛杆に連結環を掛止連結した際に連結環と器体との接触音も生じず、しかも掛杆の器体への固定強度が強固となる画期的な水準器を提供するものである。
【課題を解決するための手段】
【０００７】
添付図面を参照して本発明の要旨を説明する。
【０００８】
器体１にこの器体１外部から視認可能にして測定用気泡管２を設け、この器体１の端部に弾性体３を付設して器体１の端部に衝撃吸収用プロテクター部４を形成した水準器において、前記衝撃吸収用プロテクター部４を、前記器体１の内方に向かって凹状に窪む形状に形成し、この凹状の衝撃吸収用プロテクター部４の対向する立ち上がり部５間に、フックやカラビナなどの連結環７を掛止し得る掛杆８を架設状態に設けると共に、この掛杆８は、衝撃吸収用プロテクター部４を貫通して前記器体１に固定したことを特徴とする水準器に係るものである。
【０００９】
また、前記凹状の衝撃吸収用プロテクター部４は、前記対向する立ち上がり部５から、前記掛杆８と対向する窪み底部６にかけて形成したことを特徴とする請求項１記載の水準器に係るものである。
【００１０】
また、前記掛杆８は、その両端部を、前記衝撃吸収用プロテクター部４の対向する立ち上がり部５を貫通して前記器体１に固定したことを特徴とする請求項１，２のいずれか１項に記載の水準器に係るものである。
【００１１】
また、前記掛杆８の両端部に被嵌合部９を設け、この被嵌合部９が嵌合する嵌合部10を前記器体１に設けて、この被嵌合部９を、前記衝撃吸収用プロテクター部４の対向する立ち上がり部５を貫通して前記嵌合部10に嵌合固定したことを特徴とする請求項１〜３のいずれか１項に記載の水準器に係るものである。
【００１２】
また、前記器体１は、前記測定用気泡管２を取付する取付窓11を備えた金属製主体部12と、この主体部12を両側から挟み込むようにして主体部12に装着される一対の外装部13とから成り、この主体部12の取付窓11に測定用気泡管２を配設すると共に、主体部12に前記一対の外装部13を装着することで取付窓11の測定用気泡管２を一対の外装部13により挟持固定する構成とし、前記掛杆８の両端部に被嵌合部９を設け、この被嵌合部９が嵌合する嵌合部10を前記器体１に設けて、この被嵌合部９を、前記衝撃吸収用プロテクター部４の対向する立ち上がり部５を貫通して前記嵌合部10に嵌合すると共に、主体部12に前記一対の外装部13を装着することで、嵌合部10に嵌合した被嵌合部９を一対の外装部13により挟持固定する構成としたことを特徴とする請求項１〜４のいずれか１項に記載の水準器に係るものである。
【００１３】
また、前記掛杆８の両端部を屈曲形成して屈曲部９を前記被嵌合部９とし、この被嵌合部９の形状に略合致する形状の切欠部10を前記器体１に形成してこの切欠部10を前記嵌合部10としたことを特徴とする請求項４，５のいずれか１項に記載の水準器に係るものである。
【発明の効果】
【００１４】
本発明は上述のように構成したから、連結環を備えた携帯用具を使用するにあたって、連結リングなどの他の連結部品を別途用意する必要がなく、連結環を直接掛杆に掛止して容易に携帯可能となる優れた水準器となり、また、掛杆に対して移動する連結環の接触衝撃を衝撃吸収用プロテクター部（弾性体）が吸収するので、接触音の発生が防止されると共に、この衝撃吸収用プロテクター部は、器体落下時の衝撃も吸収することになり、しかも本発明は、掛杆を衝撃吸収用プロテクター部を構成する弾性体を貫通して器体に固定したから、この構成は、弾性体に対して固定するような構成に比べて固定強度を確保し易く、器体に対して高い固定強度で掛杆を固定可能となるなど、極めて実用性に優れた画期的な水準器となる。
【００１５】
また、請求項２記載の発明においては、衝撃吸収用プロテクター部により連結環と器体との接触が確実に吸収される一層実用性に優れた構成の水準器となる。
【００１６】
また、請求項３，４記載の発明においては、掛杆が器体に対して一層強固に固定されることになる極めて実用性に優れた構成の水準器となる。
【００１７】
また、請求項５記載の発明においては、器体に対して測定用気泡管を取付するのと同時に、強固に且つ簡易に掛杆を器体に固定可能となる一層実用性に優れた構成の水準器となる。
【００１８】
また、請求項６記載の発明においては、簡易構成にして掛杆が器体に対して確固に固定されることになる一層実用性に優れた構成の水準器となる。
【図面の簡単な説明】
【００１９】
【図１】本実施例の使用状態（携帯時）を示す説明斜視図視図である。
【図２】本実施例を示す斜視図である。
【図３】本実施例を示す正面図である。
【図４】図３のＡ−Ａ線断面図である。
【図５】本実施例の分解斜視図である。
【図６】本実施例の主体部を示す正面図である。
【図７】本実施例の主体部に測定用気泡管と掛杆とを配設した組み立て途中の状態を示す斜視図である。
【図８】図７の状態から、主体部に一対の外装部を装着した組み立て途中の状態を示す斜視図である。
【発明を実施するための形態】
【００２０】
好適と考える本発明の実施形態（発明をどのように実施するか）を、図面に基づいて本発明の作用を示して簡単に説明する。
【００２１】
本発明の水準器は、器体１の端部の衝撃吸収用プロテクター部４を、器体１の内方に向かって凹状に窪む形状に形成し、この凹状の衝撃吸収用プロテクター部４の対向する立ち上がり部５間に掛杆８を架設状態に設けている。
【００２２】
そのため、器体を貫通する引っ掛け孔を備えた従来品とは異なり、この掛杆８に、フックやカラビナなどの連結環７を掛止することができる。
【００２３】
従って、連結環７を備えた携帯用具18を使用するにあたって、連結リングなどの他の連結部品を別途用意する必要がなく、連結環７を直接掛杆８に掛止して携帯用具18により本水準器を容易に携帯可能となる。
【００２４】
また、掛杆８に連結環７を掛止した際に、連結環７が掛杆８に対して動いても、この掛杆８が架設する器体１の端部は、弾性体３が付設された衝撃吸収用プロテクター部４であるから、連結環７が器体１に対して直接接触することがなく、衝撃吸収用プロテクター部４（弾性体３）に接触して接触衝撃が吸収されるので、連結環７と器体１との接触音の発生が防止される。また、この衝撃吸収用プロテクター部４は、器体１落下時の衝撃も吸収する。
【００２５】
また、衝撃吸収用プロテクター部４を構成する弾性体３を貫通して器体１に固定した本発明の掛杆８は、弾性体３に対して固定するような構成に比べて固定強度を確保し易く、器体１に対して高い固定強度で掛杆８を固定可能な構成を容易に設計実現可能である。
【００２６】
また、例えば、前記凹状の衝撃吸収用プロテクター部４は、前記対向する立ち上がり部５から、前記掛杆８と対向する窪み底部６にかけて形成すれば、掛杆８に沿って移動する連結環７が器体１に接触しようとしても、衝撃吸収用プロテクター部４の対向する立ち上がり部５に確実に連結環７が接触して接触音が吸収されると共に、掛杆８に対して直交する方向（器体１端部に対して接近する方向）に移動する連結環７が器体１に接触しようとしても、衝撃吸収用プロテクター部４の窪み底部６に確実に連結環７が接触して接触音が吸収されることになる。
【００２７】
また、例えば、前記掛杆８は、その両端部を、前記衝撃吸収用プロテクター部４の対向する立ち上がり部５を貫通して前記器体１に固定すれば、掛杆８が器体１に対して一層強固に固定されることになる。
【００２８】
また、例えば、前記掛杆８の両端部に被嵌合部９を設け、この被嵌合部９が嵌合する嵌合部10を前記器体１に設けて、この被嵌合部９を、前記衝撃吸収用プロテクター部４の対向する立ち上がり部５を貫通して前記嵌合部10に嵌合固定すれば、被嵌合部９と嵌合部10との嵌合作用により掛杆８が器体１に対して極めて強固に固定されることになる。
【００２９】
また、例えば、前記器体１は、前記測定用気泡管２を取付する取付窓11を備えた金属製主体部12と、この主体部12を両側から挟み込むようにして主体部12に装着される一対の外装部13とから成り、この主体部12の取付窓11に測定用気泡管２を配設すると共に、主体部12に前記一対の外装部13を装着することで取付窓11の測定用気泡管２を一対の外装部13により挟持固定する構成とし、前記掛杆８の両端部に被嵌合部９を設け、この被嵌合部９が嵌合する嵌合部10を前記器体１に設けて、この被嵌合部９を、前記衝撃吸収用プロテクター部４の対向する立ち上がり部５を貫通して前記嵌合部10に嵌合すると共に、主体部12に前記一対の外装部13を装着することで、嵌合部10に嵌合した被嵌合部９を一対の外装部13により挟持固定する構成とすれば、器体１に対して測定用気泡管２を取付するのと同時に、強固にして且つ簡易に掛杆８を器体１に嵌合固定可能となる。
【００３０】
また、例えば、前記掛杆８の両端部を屈曲形成して屈曲部９を前記被嵌合部９とし、この被嵌合部９の形状に略合致する形状の切欠部10を前記器体１に形成してこの切欠部10を前記嵌合部10とすれば、被嵌合部９と嵌合部10との確固な嵌合作用により掛杆８が器体１に対して極めて強固に固定されることになる。
【実施例】
【００３１】
本発明の具体的な実施例について図面に基づいて説明する。
【００３２】
本実施例の器体１は、図２〜図４に示すように、やや厚みのある横長方形板状に形成し、この器体１にこの器体１外部から視認可能にして測定用気泡管２を設けている。
【００３３】
具体的には、器体１は、測定用気泡管２を取付する取付窓11を備えた金属製主体部12としてのアルミフレーム12と、このアルミフレーム12を両側から挟み込むようにしてアルミフレーム12に装着される一対の樹脂製外装部13とでやや厚みのある三層構造体を構成し、このアルミフレーム12の取付窓11に測定用気泡管２を配設すると共に、アルミフレーム12に前記一対の外装部13を装着することで取付窓11の測定用気泡管２を一対の外装部13により挟持固定する構成としている。
【００３４】
また、アルミフレーム12は、図５〜図７に示すように、断面略Ｉ字形をなす横長方形板に形成し、縦設状態とした際のこのアルミフレーム12の両側板面に一対の外装部13を重合状態に装着し得るように構成している。
【００３５】
また、一対の外装部13は、図５，図８に示すように、透明樹脂製の横長方形板に形成すると共に、夫々を縦設状態とした際に対称形状となるように構成し、更に前記アルミフレーム12と同等の横幅寸法を有すると共に、縦設状態としたアルミフレーム12の上下の鍔部19間の幅寸法と同等の上下方向幅寸法を有する構成として、アルミフレーム12の両側板面に、上下の鍔部19間に嵌め込むようにして重合装着し得るように構成している。
【００３６】
また、この一対の外装部13には、前記取付窓11に位置を対応させて方形状の窓孔14を形成し、取付窓11に配した測定用気泡管２をこの窓孔14を介して器体１外部から視認可能となるように構成している。
【００３７】
尚、図面では、二個の測定用気泡管２を互いに直交状態にして器体１に設けた場合を示している。
【００３８】
本実施例では、器体１の端部に弾性体３を付設することによりこの器体１の端部に衝撃吸収用プロテクター部４を形成している。
【００３９】
具体的には、器体１の長さ方向の両端部（短方向側面）に、ゴム製あるいは合成ゴム製の薄板状の弾性体３を付設している。即ち、器体１の長さ方向の両端部に、前記衝撃吸収用プロテクター部４を表出状態に設けている。
【００４０】
また、本実施例では、この両端部の衝撃吸収用プロテクター部４のうちの一方を、前記器体１の内方に向かって凹状に窪む形状に形成している。
【００４１】
具体的には、器体１の長さ方向の一側端部、即ちアルミフレーム12及び一対の外装部13の一側端部（図２，図３において右側端部）を、器体１の内方（器体１の他側）に向かって凹状に窪む形状に形成し、この凹状の器体１一側端部に、この凹状形状と同調する凹状をなす形状に成形されたゴム製あるいは合成ゴム製の前記弾性体３Ａを付設して、凹状に窪む形状の衝撃吸収用プロテクター部４Ａを構成している。
【００４２】
即ち、凹状の衝撃吸収用プロテクター部４Ａは、器体１の長さ方向の一側端部（凹状端部）の略全域に設けている。言い換えると、器体１の一側凹状端部の対向する立ち上がり部５から、窪み底部６にかけての略全域に凹状の前記弾性体３Ａを付設して衝撃吸収用プロテクター部４Ａを構成している。
【００４３】
また、この弾性体３（３Ａ）の器体１両端部への付設構造は、図４，図５に示すように、前記一対の外装部13の長さ方向の両端部に係止部15を一体に突設する一方、弾性体３（３Ａ）の裏面を、この係止部15が圧入被嵌係止し得る形状に構成し、この弾性体３（３Ａ）の裏面に外装部13の係止部15を圧入被嵌係止することで、器体１の端部に弾性体３（３Ａ）を付設する構造としている。
【００４４】
また、この弾性体３（３Ａ）の裏面は、一対の外装部13を前記アルミフレーム12に両側から装着した際の双方の係止部15が圧入被嵌係止し得る形状に構成して、弾性体３の裏面に一対の外装部13の双方の係止部15を圧入被嵌係止すると、この弾性体３（３Ａ）によって一対の外装部13がアルミフレーム12に重合装着する状態が保持される（器体１が保形される）構造としている。
【００４５】
更に詳しくは、本実施例では、一対の外装部13の両端部に、断面略Ｌ字状の係止凸条15を突設してこの係止凸条15を前記係止部15とし、この係止凸条15に被嵌係止する係合凹部16を前記弾性体３（３Ａ）の裏面に形成し、この弾性体３（３Ａ）を屈曲変形させつつこの係合凹部16を係止凸条15に被嵌圧入係止できるように構成している。
【００４６】
本実施例では、凹状の衝撃吸収用プロテクター部４Ａの対向する立ち上がり部５間に、フックやカラビナなどの連結環７を掛止し得る掛杆８を架設状態に設けると共に、この掛杆８は、衝撃吸収用プロテクター部４Ａを構成する前記弾性体３Ａを貫通して前記器体１に固定している。
【００４７】
具体的には、掛杆８は、図３，図５に示すように、金属棒体を略Ｃ字状に折曲形成したもので構成し、その両端部を、前記衝撃吸収用プロテクター部４Ａの対向する立ち上がり部５を構成する前記弾性体３Ａを貫通して前記器体１に固定して、この掛杆８の中間の湾曲杆部を衝撃吸収用プロテクター部４Ａの対向する立ち上がり部５間に架設状態に設けている。
【００４８】
更に詳しくは、掛杆８の両端部を、夫々の対向内側方向に向けて略直角に屈曲形成してこの両端部のＬ字状屈曲部９を被嵌合部９とし、一方、この被嵌合部９の形状に略合致する形状（Ｌ字状）の切欠部10を、前記器体１を構成するアルミフレーム12の、このアルミフレーム12を縦設状態とした際の一側端部の上下位置に切欠形成してこの切欠部10を前記被嵌合部９が嵌合する嵌合部10としている（図５，図６参照。）。
【００４９】
そして、本実施例では、この嵌合部10に被嵌合部９を嵌合した上で、アルミフレーム12に前記一対の外装部13を装着し、この外装部13の両端部に前記弾性体３（３Ａ）を付設することにより外装部13をアルミフレーム12に装着保持すると、嵌合部10に嵌合した被嵌合部９が一対の外装部13に挟持状態に保持されると共に、Ｌ字状の被嵌合部９と嵌合部10との嵌合作用により器体１外方へ抜け止め状態に保持されて掛杆８（の中間の湾曲杆部）が前記衝撃吸収用プロテクター部４Ａの対向する立ち上がり部５間に架設状態に固定される構成としている。また、主体部12が金属（アルミ）製であるから、嵌合部10に対して被嵌合部９（掛杆８）を強固に固定可能となる。
【００５０】
また、この掛杆８と対向する前記窪み底部６との間には、フックやカラビナなどの連結環７の先端側部を挿通可能となる間隔を介在するように、掛杆８の対向する立ち上がり部５への取付位置並びに凹状の衝撃吸収用プロテクター部４Ａの形状を設定構成している。
【００５１】
また、凹状の衝撃吸収用プロテクター部４Ａを構成する弾性体３Ａには、掛杆８を貫通する貫通孔17を貫通形成すると共に、この貫通孔17は、掛杆８に沿った長さを有する貫通孔17に形成して、掛杆８を一対の外装部13で挟持固定した後に、問題なくこの貫通孔17に掛杆８を貫通させて弾性体３Ａを器体１の一側凹状端部に付設できる構成としている。
【００５２】
従って、このように構成した本実施例の水準器によれば、例えば図１に示すように、両端に連結環７を備えたストラップなどの携帯用具18を利用して、一端の連結環７を掛杆８に直接掛止すると共に、他端の連結環７を作業者が着用するスボンのベルト通し部20に掛止するなどして携帯可能である。
【００５３】
尚、本発明は、本実施例に限られるものではなく、各構成要件の具体的構成は適宜設計し得るものである。
【符号の説明】
【００５４】
１  器体
２  測定用気泡管
３  弾性体
４  衝撃吸収用プロテクター部
５  立ち上がり部
６  窪み底部
７  連結環
８  掛杆
９  被嵌合部
10  嵌合部
11  取付窓
12  主体部
13  外装部
【図１】
2011038840.tif 000003
【図２】
2011038840.tif 000004
【図３】
2011038840.tif 000005
【図４】
2011038840.tif 000006
【図５】
2011038840.tif 000007
【図６】
2011038840.tif 000008
【図７】
2011038840.tif 000009
【図８】
2011038840.tif 000010